(57)【要約】【課題】一部に繊維強化樹脂を用いた、軽量で大型のゴルフクラブヘッドであって、繊維強化樹脂部分と金属部分との接合強度が高く、耐久性も良好であるゴルフクラブヘッドを提供する。【解決手段】フェース部２、ソール部３、サイド部４、クラウン部５及びホゼル部６を有する中空のゴルフクラブヘッドにおいて、該クラウン部の主要部が繊維強化樹脂製（ＦＲＰ体９０）であり、その他が金属製（金属体７０）である。フェース部に開口８０が設けられ、アモルファス金属製のフェースプレート７２ｆが嵌合され、カシメにより固着されている。金属体７０のその他は結晶質金属よりなる。【選択図】図１１
2005287664.tif 000002
【特許請求の範囲】
【請求項１】
フェース部、ソール部、サイド部、クラウン部及びホゼル部を有する中空のゴルフクラブヘッドであって、
該クラウン部の主要部が繊維強化樹脂製であり、
少なくともフェース部と、該フェース部に連なるクラウン部の前縁部とが金属製であるゴルフクラブヘッドにおいて、
少なくとも該フェース部の中央部がアモルファス金属よりなることを特徴とするゴルフクラブヘッド。
【請求項２】
請求項１において、すべての金属製の部分がアモルファス金属よりなることを特徴とするゴルフクラブヘッド。
【請求項３】
請求項１において、該フェース部にあっては、周縁部が結晶質金属であり、アモルファス金属よりなるフェースプレートが該周縁部に対し固着されていることを特徴とするゴルフクラブヘッド。
【請求項４】
請求項１ないし３のいずれか１項において、前記サイド部の前縁部と前記ソール部の前縁部とが前記フェース部に連なる金属製であり、
該ソール部のトウ・ヒール方向の中央部は、該ソール部の金属製前縁部に連なる金属製であり、
このソール部中央の金属製部分はゴルフクラブヘッドの後部にまで延在していることを特徴とするゴルフクラブヘッド。
【請求項５】
請求項１において、前記クラウン部の主要部を除いた他のすべてが金属製であり、
フェース部以外は結晶質金属であり、
該フェース部にあっては、周縁部が結晶質金属であり、アモルファス金属よりなるフェースプレートが該周縁部に対し固着されていることを特徴とするゴルフクラブヘッド。
【請求項６】
請求項３又は５において、アモルファス金属よりなる該フェースプレートが結晶質金属よりなるフェース部周縁部に対し、該フェース部周縁部側をかしめることにより固着されていることを特徴とするゴルフクラブヘッド。
【発明の詳細な説明】
【技術分野】
【０００１】
本発明は、中空ゴルフクラブヘッドに係り、特にウッド型又はそれに近似した形状のゴルフクラブヘッドに関するものである。
【背景技術】
【０００２】
ドライバーやフェアウェーウッドなどのウッド型ゴルフクラブヘッドとして、中空の金属製のものが広く用いられている。一般に、中空のウッド型のゴルフクラブヘッドは、ボールをヒットするためのフェース部と、ゴルフクラブヘッドの上面部を構成するクラウン部と、ゴルフクラブヘッドの底面部を構成するソール部と、ゴルフクラブヘッドのトウ側、リヤ側及びヒール側の側面部を構成するサイド部と、ホゼル部とを有している。このホゼル部にシャフトが挿入され、接着剤等によって固定される。なお、最近では、ユーティリティクラブと称されるゴルフクラブも多く市販されており、このユーティリティゴルフクラブの１種として、上記ウッド型ゴルフクラブヘッドに類似した（即ち、フェース部、ソール部、サイド部及びクラウン部並びにホゼル部を有した）ヘッドを有するゴルフクラブも各種市販されている。
【０００３】
この中空ゴルフクラブヘッドを構成する金属としては、アルミニウム合金、ステンレスやチタン合金が用いられているが、近年は特にチタン合金が広く用いられている。
【０００４】
中空ゴルフクラブヘッドの体積を大きくすることにより、スイートスポットを拡大することが可能となる。体積を大きくすることに伴うゴルフクラブヘッドの重量増加を防ぐために、ゴルフクラブヘッドの構成材として、上記金属よりもさらに比重が小さい繊維強化樹脂を採用することが考えられている。この場合、ボールをヒットするフェース面は、強度を確保するために金属製とする必要があるので、フェース部以外の部分を繊維強化樹脂製とすることになる。
【０００５】
特開２００４−１６６５４号公報には、フェース部と、それに連なるゴルフクラブヘッド前部と、ソール部の幅方向中央部とを金属製とし、その他をＣＦＲＰ製としたゴルフクラブヘッドが記載されている。
【特許文献１】特開２００４−１６６５４号公報
【発明の開示】
【発明が解決しようとする課題】
【０００６】
特開２００４−１６６５４号公報にあっては、金属としてアモルファス金属の使用についての記載はない。
【０００７】
本発明は、クラウン部を繊維強化樹脂製としたゴルフクラブヘッドにおいて、金属製フェース部の反発特性を高め、これにより飛距離を増大させることが可能なゴルフクラブヘッドを提供することを目的とする。
【課題を解決するための手段】
【０００８】
本発明（請求項１）のゴルフクラブヘッドは、フェース部、ソール部、サイド部、クラウン部及びホゼル部を有する中空のゴルフクラブヘッドにおいて、該クラウン部の主要部が繊維強化樹脂製であり、少なくともフェース部と、該フェース部に連なるクラウン部の前縁部とが金属製であり、該クラウン部の繊維強化樹脂製部分が該クラウン部の金属製の前縁部の後端面及び内面に接合されていることを特徴とするものである。
【０００９】
請求項２のゴルフクラブヘッドは、請求項１において、すべての金属製の部分がアモルファス金属よりなることを特徴とするものである。
【００１０】
請求項３のゴルフクラブヘッドは、請求項１において、該フェース部にあっては、周縁部が結晶質金属であり、アモルファス金属よりなるフェースプレートが該周縁部に対し固着されていることを特徴とするものである。
【００１１】
請求項４のゴルフクラブヘッドは、請求項１ないし３のいずれか１項において、前記サイド部の前縁部と前記ソール部の前縁部とが前記フェース部に連なる金属製であり、該ソール部のトウ・ヒール方向の中央部は、該ソール部の金属製前縁部に連なる金属製であり、このソール部中央の金属製部分はゴルフクラブヘッドの後部にまで延在していることを特徴とするものである。
【００１２】
請求項５のゴルフクラブヘッドは、請求項１において、前記クラウン部の主要部を除いた他のすべてが金属製であり、フェース部以外は結晶質金属であり、該フェース部にあっては、周縁部が結晶質金属であり、アモルファス金属よりなるフェースプレートが該周縁部に対し固着されていることを特徴とするものである。
【００１３】
請求項６のゴルフクラブヘッドは、請求項３又は５において、アモルファス金属よりなる該フェースプレートが結晶質金属よりなるフェース部周縁部に対し、該フェース部周縁部側をかしめることにより固着されていることを特徴とするものである。
【発明の効果】
【００１４】
本発明のゴルフクラブヘッドにあっては、クラウン部の主要部が繊維強化樹脂製であり、ボールヒット時にクラウン部が撓み易く、反発特性が良好である。また、ゴルフクラブヘッドを軽量化することができる。
【００１５】
本発明では、フェース部の少なくとも中央部をアモルファス金属としているが、このアモルファス金属は結晶質金属に比べて高強度、低弾性であるため、フェース部を肉薄とし、ボールヒット時のフェース部の撓みを大きくして反発性を向上させ、飛距離を増大させることができる。
【００１６】
なお、アモルファス金属は結晶質金属と異なり、鍛造やプレス加工あるいは溶接を施すことが困難である。そこで、金属製の部分をすべてアモルファス金属で一体に溶製すれば、製造を簡単に行うことができる。また、フェース部の周縁部を結晶質金属とし、フェース部のうち該周縁部以外をアモルファス金属よりなるフェースプレートとし、このフェースプレートを該周縁部に対しカシメなどにより固着してもよい。
【発明を実施するための最良の形態】
【００１７】
以下、図面を参照して実施の形態について説明する。第１図は実施の形態に係るゴルフクラブヘッドの斜視図、第２図はこのゴルフクラブヘッドの金属体の前方からの斜視図、第３図は金属体の後方からの斜視図、第４図は金属体のヒール側からの側面図、第５図は金属体の平面図、第６図（ａ）はゴルフクラブヘッドの前後方向の縦断面図、第６図（ｂ）は第６図（ａ）の一部の拡大図である。
【００１８】
このゴルフクラブヘッド１は、フェース部２、ソール部３、サイド部４、クラウン部５及びホゼル部６を有した中空ウッド型ゴルフクラブヘッドである。このゴルフクラブヘッド１は、全体としてアモルファス金属よりなる金属体１０と、繊維強化樹脂体（以下、ＦＲＰ体という。）２０とからなる。
【００１９】
アモルファス金属を構成する合金組成としてはジルコニウム系アモルファス合金が好ましく、特に、一般式ＺｒＭＸで示される組成で構成されるジルコニウム系アモルファス合金が好ましい。なお、ＭはＶ、Ｃｒ、Ｍｎ、Ｆｅ、Ｃｏ、Ｎｉ、Ｃｕ、Ｔｉ、Ｍｏ、Ｗ、Ｃａ、Ｌｉ、Ｍｇ、Ｓｉ、Ａｌ、Ｐｄ、Ｂｅより選ばれる１種類以上の金属元素であり、ＸはＹ、Ｌａ、Ｃｅ、Ｓｍ、Ｍｄ、Ｈｆ、Ｎｂ、Ｔａから選ばれる１種類以上の金属元素である。なお、アモルファス金属は、完全にアモルファスであってもよく、部分的に結晶質となっている準完全アモルファスでもよい。
【００２０】
金属体１０は、フェース部２と、金属ソール部１３と、金属サイド部（トウ）１４と、金属クラウン部１５と、金属サイド部（ヒール）１６と、金属バック部１７と、該金属バック部１７に設けられた環状部１８と、ホゼル部６とを有する。
【００２１】
フェース部２はボールをヒットする面であり、図示はしないが溝（スコアライン）が設けられている。ソール部３はゴルフクラブヘッドの底面部を構成し、サイド部４はトウ側及びヒール側並びに後面側の側面部を構成している。クラウン部５はゴルフクラブヘッドの上面部を構成している。ホゼル部６には、シャフトが差し込まれ、接着剤により該シャフトが固着される。
【００２２】
金属体１０は、フェース部２と、クラウン部５の前縁部と、サイド部４の前縁部と、ソール部３の前縁部及び左右方向（ヒール・トウ方向）の中央部と、ゴルフクラブヘッドの後面部とを構成している。
【００２３】
クラウン部５の前縁部を構成する金属クラウン部１５は、金属サイド部（トウ）１４及び金属サイド部（ヒール）１６とに連なっている。金属サイド部（トウ）１４及び金属サイド部（ヒール）１６はそれぞれ金属ソール部１３に連なっている。該金属サイド部１４，１６及び金属ソール部１３はフェース部２に連なっている。
【００２４】
金属ソール部１３の前部は、ゴルフクラブヘッドのトウ側からヒール側にまで跨る全幅状となっている。この金属ソール部１３は、該前部から後方に向って徐々に細幅となっている。金属ソール部１３の後部は、ゴルフクラブヘッドのヒール・トウ方向の中央部に配置されている。この金属ソール部１３の後端に金属バック部１７が連なっている。この金属バック部１７は、金属ソール部１３から斜め後方に立ち上がっている。この金属バック部１７の内面に環状部１８が一体化されている。この環状部１８及び金属バック部１７を貫通して開口が設けられ、この開口の内周面に雌ネジ（図示略）が設けられている。
【００２５】
このアモルファス金属体１０は、合金溶湯を鋳型に注型し、所定以上の冷却速度によって冷却することにより製造することができる。この冷却速度は、アモルファス金属組成に応じて選択される。
【００２６】
ＦＲＰ体２０は、このゴルフクラブヘッド１の外面のその他の部分を構成している。即ち、ＦＲＰ体２０は、クラウン部５の後半部と、サイド部４の後半部（ただし、金属バック部を除く。）と、ソール部３の金属ソール部１３以外の部分を構成している。
【００２７】
第６図に拡大して示されるように、ＦＲＰ体２０は、金属クラウン部１５、金属サイド部１４（トウ、ヒール双方）及び金属ソール部１３の端面に密着すると共に、これらの端縁の内面にも重なって密着している。特に、金属クラウン部１５にあっては、第６図（ｂ）の通りＦＲＰ体２０はフェース部２の裏面に達している。即ち、金属クラウン部１５の内面の全体に対しＦＲＰ体２０が重なって密着している。
【００２８】
このＦＲＰ体２０を成形し且つ金属体１０と一体化するには、必要に応じ金属体１０の内面にプライマー処理を施した金属体１０をゴルフクラブヘッドの外形形状を有した金型内に配置する。次いで、この金型の内面及び金属体１０の端縁内面に沿ってプリプレグシートの積層物（未硬化の樹脂繊維複合材料シート）を配材する。なお、この積層物は予め金型内面に倣うように予備成形されてもよい。その後、環状部１８の開口を通して内部にガス圧を加えた状態で加熱し、樹脂を硬化させる。この際、ゴルフクラブヘッド内にナイロン等の樹脂袋を配置しておき、この袋内にガスを供給して膨らませ、プリプレグシートを圧迫して金型内面に密着させてもよい。
【００２９】
これにより、第６図のようにＦＲＰ体２０が成形されると共に、ＦＲＰ体２０の周縁部２１が金属体１０の端面及び端縁部に密着する。成形終了後、脱型し、必要に応じゴルフクラブヘッドの内面に振動吸収層や打球音調整層を形成する。例えば、ポリイソブチレン等よりなる粘着剤を層状に形成することにより、ゴルフクラブヘッドのカラ鳴りが防止される。
【００３０】
金属バック部１７の開口には、栓状体（第１図〜第６図では図示略）を捩じ込む。この捩じ込み用の雌ネジは、金属体１０に予め設けておいてもよく、脱型後に設けてもよい。その後、このゴルフクラブヘッドの外面に必要に応じ研磨や塗装を施し、ゴルフクラブヘッド製品とする。
【００３１】
この栓状体としては、ゴルフクラブヘッドの重心深度を深くするために、タングステンなど高比重材よりなるものが好ましい。
【００３２】
なお、第７図（ａ），（ｂ）のように栓状体３０を環状部１８の開口４０にろう付、接着、無理嵌め等によって固着してもよい。この栓状体３０は、円柱部３１とその後端に設けられたフランジ部３２とを有する。環状部３０の開口４０は、その入口部に段部４１を備えており、フランジ部３２は該段部４１に係合される。
【００３３】
栓状体３０としては比重が１０〜１２程度と大きいタングステン・ニッケル・鉄（Ｗ−Ｎｉ−Ｆｅ）合金を用いることができる。この合金組成としては次のものが好適である。
Ｗ：２８〜３２重量％
Ｆｅ：４５〜４９重量％
Ｎｉ：１５〜１７重量％
Ｃｕ：１〜２重量％
【００３４】
この合金組成は鋳造可能なものである。この合金組成はＦｅが多く、ステンレスとの溶接性に優れる。その為、一般的な溶接方法であるＴＩＧ溶接でも、容易に溶接することができる。
【００３５】
このように構成されたゴルフクラブヘッドは、金属体１０がフェース部２を含めてアモルファス金属よりなるので、フェース部２を肉薄とし、ボールヒット時のフェース部２の撓みを大きくして、反発性を向上させ、飛距離を増大させることができる。なお、フェース部２の肉厚（周縁部は除く。）は１〜４ｍｍ特に１．５〜３ｍｍ程度が好適である。フェース部２の周縁部はこれよりも厚くてもよい。後半部を主としてＦＲＰ体としているので、軽量であり、大型化可能である。
【００３６】
また、ＦＲＰ体２０が金属体１０の端縁との内面にも重なって密着接合されているので、金属体１０とＦＲＰ体２０との接合が強固であり、耐久性に優れる。なお、金属クラウン部１５及び金属サイド部１４の前後方向（フェース・バック方向）の幅の平均値は２〜２０ｍｍ特に５〜１８ｍｍ程度が好ましい。
【００３７】
この実施の形態に係るゴルフクラブヘッドにあっては、フェース部２の全周にわたり金属ソール部１３、金属サイド部１４及び金属クラウン部１５が存在しており、フェース部２の周縁部の剛性が高い。従って、フェース部２を薄肉としても金属体１０は全体として必要強度を備えている。
【００３８】
このゴルフクラブヘッドは、ソール部３の前縁部が金属ソール部１３よりなるため、スイング時にソール部３の前縁部が地面を叩く（所謂ダフる）ことがあっても、ソール部１３の前縁部が損傷することがない。
【００３９】
このゴルフクラブヘッドでは、ソール部３の中央を前後方向に金属ソール部１３が延在しているので、ゴルフクラブヘッドの重心を低くし、打球を上げ易くすることができる。また、金属ソール部１３を後方に延在させているので、ゴルフクラブヘッドの重心が深く、スイートエリアが広くなる。加えて、環状部１８を金属ソール部１３の最後方に連なる金属バック部１７に配置し、また環状部１８に高比重材よりなる栓状体を固着しているので、重心深度がさらに深いものとなる。
【００４０】
この実施の形態では、第３図に図示の通り、ホゼル部６の一部をゴルフクラブヘッド内部に配置している。これにより、重心を低くすることができる。
【００４１】
また、このようにホゼル部６の一部をゴルフクラブヘッド内部に配置することにより、ボールヒット時にシャフトに加えられる捻りモーメントが小さくなり、打球の左右のブレが小さくなる。なお、ゴルフクラブヘッド外面からのホゼル部６の突出長さを小さくすることにより、ゴルフクラブヘッドの外観上の美観も良好になる。
【００４２】
ホゼル部６のゴルフクラブヘッド内部の配置長さは１０〜５０ｍｍ特に２０〜５０ｍｍ特に３５〜４５ｍｍであることが望ましい。
【００４３】
上記実施の形態では金属体１０を全体としてアモルファス金属としているが、フェース部のうち周縁部を除いた部分をアモルファス金属製とし、フェース部以外の部分及びフェース部周縁部を結晶質金属製とした金属体を用いてもよい。第８，９図の金属体５０及び第１０，１１図の金属体７０はそれぞれかかる構成とされたものである。
【００４４】
第８，９図の金属体５０は、第１〜７図の金属体１０と同様に、フェース部５２と、金属ソール部５３と、金属サイド部（トウ）５４と、金属クラウン部５５と、金属サイド部（ヒール）と、金属バック部５７と、環状部５８と、ホゼル部５６とを有する。
【００４５】
クラウン部の前縁部を構成する金属クラウン部５５は、金属サイド部（トウ）５４及び金属サイド部（ヒール）とに連なっている。金属サイド部（トウ）５４及び金属サイド部（ヒール）はそれぞれ金属ソール部５３に連なっている。該金属サイド部５４及び金属ソール部５３はフェース部５２に連なっている。
【００４６】
金属ソール部５３の前部は、ゴルフクラブヘッドのトウ側からヒール側にまで跨る全幅状となっている。この金属ソール部５３は、該前部から後方に向って徐々に細幅となっている。金属ソール部５３の後部は、ゴルフクラブヘッドのヒール・トウ方向の中央部に配置されている。この金属ソール部５３の後端に金属バック部５７が連なっている。この金属バック部５７は、金属ソール部５３から斜め後方に立ち上がっている。
【００４７】
この金属ソール部５３の内面に環状部５８が一体化されている。この環状部５８を貫通して開口が設けられ、この開口の内周面に雌ネジ（図示略）が設けられている。この環状部５８に高比重材よりなる栓状体３０（第８，９図では図示略）がねじ込まれる。
【００４８】
金属体５０の以上の部分は結晶質金属にて構成されている。この結晶質金属としては、軽量なチタン、チタン合金、アルミ合金などが例示される。
【００４９】
この金属体５０にあっては、フェース部５２の周縁部を残すようにして開口６０が設けられ、この開口６０にアモルファス金属よりなるフェースプレート５２ｆが嵌合され、固着されている。この実施の形態では、開口６０の内周縁部に段部６１が設けられると共に、フェースプレート５２ｆの装着前の金属体５０の素体の前面には、開口６０の縁部に沿って凸条６２が周設されている。フェースプレート５２ｆの前面側の周縁部には凹段部６３が周設されている。フェースプレート５２ｆをこの段部６１に当てるようにして開口６０に嵌合させた後、凸条６２をカシメ変形させて凹段部６３を押えつけることにより、フェースプレート５２ｆがフェース部５２の周縁部に固着される。
【００５０】
このフェースプレート５２ｆは、略平板状であるため、アモルファス金属であっても製造が容易である。フェースプレート５２ｆ以外の金属体は結晶質金属よりなるため、鋳造、鍛造、プレス、切削、溶接などの各種手法を用いて容易に製造することができる。
【００５１】
この第８，９図の金属体５０は、第１〜７図の金属体１０において、フェース部に開口６０を設け、この開口６０にフェースプレート５２ｆを取り付けた構成のものであり、この金属体５０を用いたゴルフクラブヘッドは、金属体１０を金属体５０に置き換えたこと以外は第１〜７図のゴルフクラブヘッドと同一のものとなる。
【００５２】
第１０図は、ゴルフクラブヘッドのサイド部及びバック部も金属製とし、フェース部にアモルファス金属製のフェースプレート７２ｆを固着するようにした金属体７０の斜視図であり、第１１図はこの金属体７０を用いたゴルフクラブヘッドの前後方向縦断面図である。
【００５３】
金属体７０は、フェース部７２と、ソール部７３と、サイド部（トウ側及びヒール側）７４と、金属クラウン部７５と、バック部７７と、ホゼル部７６とを有する。
【００５４】
この金属クラウン部７５は、ゴルフクラブヘッドのクラウン部の周縁部のみを構成している。クラウン部の周縁部以外は開口７９となっており、この開口７９にＦＲＰ体９０が装着される。
【００５５】
この金属体７０のフェース部７２は、周縁部を残して開口８０が設けられ、この開口８０にアモルファス金属製のフェースプレート７２ｆが固着されている。金属体７０は、フェースプレート７２ｆ以外は結晶質金属よりなる。この結晶質金属は、チタン、チタン合金、アルミ合金が好適である。開口８０は前記金属体５０の開口６０と同一構造のものであり、段部８１にフェースプレート７２ｆを当て、開口６０の縁部をカシメることにより該フェースプレート７２ｆが開口６０を塞ぐようにして固着される。
【００５６】
ＦＲＰ体９０は、第１〜７図のＦＲＰ体２０と同様にして金属体７０に固着される。この実施の形態では、ＦＲＰ体２０は、金属クラウン部７５の上面に重なって固着されている。図示は省略するが、この金属体７０にも高比重材よりなる栓状体を設けてもよい。
【００５７】
この第８，９図及び第１０，１１図に示す金属体５０，７０を備えたゴルフクラブヘッドにおいても、フェース部にアモルファス金属製フェースプレート５２ｆ，７２ｆを設けているので、フェース部を肉薄とし、ボールヒット時の撓みを大きくして反発性を向上させ、飛距離を増大させることができる。
【００５８】
本発明では、ＦＲＰ体のクラウン部において補強繊維の配向方向を調整することにより、トウ・ヒール方向（左右方向）よりも前後方向（フェース・バック方向）の剛性を小さくしてもよい。このようにすれば、ボールヒット時のクラウン部の撓み量が大きくなり、ボールの打出し角度が高くなる。そして、この結果、打球のキャリー（飛翔距離）が大きくなる。
【００５９】
ＦＲＰ体を成形するためのプリプレグとしては、クロス繊維プリプレグ、一方向繊維プリプレグ等のいずれでもよい。このプリプレグとしてＳＭＣプリプレグを使用した場合には、肉薄のＦＲＰ体を容易に形成することができる。
【００６０】
プリプレグは３〜８枚程度積層して用いることが好ましい。
【００６１】
プリプレグ中の繊維としては弾性率が２０×１０３〜３０×１０３ｋｇ／ｍｍ２程度のカーボン繊維等が好適であるが、これに限定されない。
【００６２】
前記の通り、この繊維の配向を調整することによりクラウン部における前後方向の弾性率をトウ・ヒール方向よりも低くすることが好ましい。例えば、クロス繊維プリプレグと一方向繊維プリプレグとを交互に積層し、この一方向繊維プリプレグの繊維配向方向をトウ・ヒール方向とする。
【００６３】
ＦＲＰ体の樹脂としてはエポキシなどの熱硬化性樹脂を用いることができる。なお、この熱硬化性樹脂に少量の熱可塑性樹脂を配合してもよく、これにより振動吸収性を改善することができる。
【００６４】
ＦＲＰ体の厚さは１〜３ｍｍ程度が好ましい。特に、クラウン部は１〜２ｍｍ程度とりわけ１〜１．５ｍｍ例えば約１．３ｍｍ程度が好ましい。
【００６５】
本発明は、３００ｃｍ３以上、特に３５０ｃｍ３以上、例えば３５０〜４００ｃｍ３の大型ヘッドに適用するのに好適である。ヘッドの大きさにルール上上限はなく、技術的には６００ｃｍ３程度の超大型ヘッドも製造可能である。ゴルフクラブヘッドの重量は１６０〜２００ｇ特に１８０〜１９０ｇ程度が好適である。
【図面の簡単な説明】
【００６６】
【図１】実施の形態に係るゴルフクラブヘッドの斜視図である。
【図２】第１図のゴルフクラブヘッドの金属体の前方からの斜視図である。
【図３】第１図のゴルフクラブヘッドの金属体の後方からの斜視図である。
【図４】第１図のゴルフクラブヘッドの金属体のヒール側からの側面図である。
【図５】第１図のゴルフクラブヘッドの金属体の平面図である。
【図６】（ａ）は第１図のゴルフクラブヘッドの前後方向の縦断面図、（ｂ）は（ａ）の一部の拡大図である。
【図７】本発明の別の実施の形態に係るゴルフクラブヘッドの後部の縦断面図であり、（ａ）図は栓状体装着前の状態を示し、（ｂ）図は栓状体装着後を示す。
【図８】別の実施の形態に用いられる金属体の分解斜視図である。
【図９】図８の金属体におけるフェースプレート固着構造を示す断面図である。
【図１０】さらに別の実施の形態に用いられる金属体の分解斜視図である。
【図１１】図１０の金属体を備えたゴルフクラブヘッドの断面図である。
【符号の説明】
【００６７】
１  ゴルフクラブヘッド
２  フェース部
３  ソール部
４  サイド部
５  クラウン部
６  ホゼル部
１０  金属体
１３  金属ソール部
１４  金属サイド部
１５  金属クラウン周部
１７  金属バック部
１８  環状体
２０  ＦＲＰ体
２１  ＦＲＰ体の周縁部
３０  栓状体
４０開口
５０，７０  金属体
６０，７９，８０  開口
５２ｆ，７２ｆ  アモルファス金属製フェースプレート
【図１】
2005287664.tif 000003
【図２】
2005287664.tif 000004
【図３】
2005287664.tif 000005
【図４】
2005287664.tif 000006
【図５】
2005287664.tif 000007
【図６】
2005287664.tif 000008
【図７】
2005287664.tif 000009
【図８】
2005287664.tif 000010
【図９】
2005287664.tif 000011
【図１０】
2005287664.tif 000012
【図１１】
2005287664.tif 000013